【事件の表示】
　特許第３１８２７９９号「高圧電源装置」の請求項１に係る特許に対する特許異議の申立てについて、次のとおり決定する。
【結　論】
　訂正を認める。
　特許第３１８２７９９号の請求項１に係る特許を維持する。
【理　由】
１．訂正の適否
（１）訂正の内容
　特許権者が求めている、平成１５年８月８日付け訂正請求書に添付された訂正明細書における訂正の内容は以下のとおりである（なお、平成１４年７月９日付け訂正請求は取り下げられている。）。
訂正事項ａ．特許請求の範囲の請求項１を次のとおり訂正する。
「【請求項１】少なくとも一方の面に開口面を有する絶縁ケースと、この絶縁ケースの内部に収納される昇圧トランスと、上記絶縁ケースの内部に昇圧トランスを収納した状態で、絶縁ケース内に充填される絶縁部材とを有する高圧電源装置において、上記昇圧トランスが、２次側巻線をボビン本体にその軸方向に沿って複数に区画して巻くための隔壁を、ボビン本体の外周に軸方向に沿って備え、当該隔壁間のボビン本体に２次側巻線を巻き付けた２次側巻線ボビンと、この２次側巻線ボビンのボビン本体内部に、１次側巻線を巻いた状態で収容される１次側巻線ボビンと、この１次側巻線ボビンの内部と２次側巻線ボビンの外周を取り囲んだ状態で磁気回路を構成するコアとを備え、当該昇圧トランスを、２次側巻線ボビンの隔壁が、前記絶縁ケースの開口面に対して直交するように、絶縁ケース内に収納配置するとともに、前記絶縁ケースの両側壁には、前記２次側巻線ボビンの両側壁が嵌合する開口部を設け、前記絶縁ケースの開口部に、２次側巻線ボビンの両側壁を嵌合することによって、当該２次側巻線ボビンの両側壁が、前記絶縁ケースの側壁の一部を兼用するように構成したことを特徴とする高圧電源装置。」
　
訂正事項ｂ．明細書中の【００１６】段落を次のとおり訂正する。
「【００１６】すなわち、この発明は、少なくとも一方の面に開口面を有する絶縁ケースと、この絶縁ケースの内部に収納される昇圧トランスと、上記絶縁ケースの内部に昇圧トランスを収納した状態で、絶縁ケース内に充填される絶縁部材とを有する高圧電源装置において、上記昇圧トランスが、２次側巻線をボビン本体にその軸方向に沿って複数に区画して巻くための隔壁を、ボビン本体の外周に軸方向に沿って備え、当該隔壁間のボビン本体に２次側巻線を巻き付けた２次側巻線ボビンと、この２次側巻線ボビンのボビン本体内部に、１次側巻線を巻いた状態で収容される１次側巻線ボビンと、この１次側巻線ボビンの内部と２次側巻線ボビンの外周を取り囲んだ状態で磁気回路を構成するコアとを備え、当該昇圧トランスを、２次側巻線ボビンの隔壁が、前記絶縁ケースの開口面に対して直交するように、絶縁ケース内に収納配置するとともに、前記絶縁ケースの両側壁には、前記２次側巻線ボビンの両側壁が嵌合する開口部を設け、前記絶縁ケースの開口部に、２次側巻線ボビンの両側壁を嵌合することによって、当該２次側巻線ボビンの両側壁が、前記絶縁ケースの側壁の一部を兼用するように構成されている。」
　
（２）訂正の目的の適否、新規事項の有無及び拡張・変更の存否
ア．訂正事項ａについて
　上記訂正事項ａは、特許明細書の特許請求の範囲の請求項１に記載された発明において、「２次側巻線ボビンの隔壁が、前記絶縁ケースの開口面に対して直交するように、絶縁ケース内に収納配置したこと」を「２次側巻線ボビンの隔壁が、前記絶縁ケースの開口面に対して直交するように、絶縁ケース内に収納配置するとともに、前記絶縁ケースの両側壁には、前記２次側巻線ボビンの両側壁が嵌合する開口部を設け、前記絶縁ケースの開口部に、２次側巻線ボビンの両側壁を嵌合することによって、当該２次側巻線ボビンの両側壁が、前記絶縁ケースの側壁の一部を兼用するように構成したこと」と限定するもので、明細書【００２７】段落及び図６、図７等に記載又は示唆されていたものであり、【００２７】段落には、「上記２次側巻線ボビン２１の両側壁２３、２３は、図６及び図７に示すように、絶縁ケース１０の第１及び第２の側壁１２、１３と天井壁１６とに嵌合することによって、第１及び第２の側壁１２、１３とともに絶縁ケース１０の側壁の一部を兼用するようになっている。」と記載されている。
　したがって、上記訂正事項ａは、特許請求の範囲の減縮に該当するものである。
　
イ．訂正事項ｂについて
　上記訂正事項ｂは、訂正された特許請求の範囲の記載との整合を図るためのものであり、明瞭でない記載の釈明を目的とするものである。
　
　そして、いずれも、願書に添付した明細書又は図面に記載した事項の範囲内であり、新規事項の追加に該当せず、実質上特許請求の範囲を拡張し、又は変更するものではない。
　
（３）むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
　
２．特許異議の申立てについての判断
（１）本件発明
　　上記のとおり、訂正は認められるから、本件請求項１に係る発明は、訂正された特許明細書の特許請求の範囲の請求項１に記載された次のとおりのものである。
「【請求項１】少なくとも一方の面に開口面を有する絶縁ケースと、この絶縁ケースの内部に収納される昇圧トランスと、上記絶縁ケースの内部に昇圧トランスを収納した状態で、絶縁ケース内に充填される絶縁部材とを有する高圧電源装置において、上記昇圧トランスが、２次側巻線をボビン本体にその軸方向に沿って複数に区画して巻くための隔壁を、ボビン本体の外周に軸方向に沿って備え、当該隔壁間のボビン本体に２次側巻線を巻き付けた２次側巻線ボビンと、この２次側巻線ボビンのボビン本体内部に、１次側巻線を巻いた状態で収容される１次側巻線ボビンと、この１次側巻線ボビンの内部と２次側巻線ボビンの外周を取り囲んだ状態で磁気回路を構成するコアとを備え、当該昇圧トランスを、２次側巻線ボビンの隔壁が、前記絶縁ケースの開口面に対して直交するように、絶縁ケース内に収納配置するとともに、前記絶縁ケースの両側壁には、前記２次側巻線ボビンの両側壁が嵌合する開口部を設け、前記絶縁ケースの開口部に、２次側巻線ボビンの両側壁を嵌合することによって、当該２次側巻線ボビンの両側壁が、前記絶縁ケースの側壁の一部を兼用するように構成したことを特徴とする高圧電源装置。」
　
（２）取消理由通知で引用された刊行物に記載の発明
　当審で通知した取消理由で引用した刊行物１（特開昭６１−１８７２９５号公報（申立人雨山範子の提出した甲第１号証））には、「高圧電源装置」（発明の名称）に関して、第２図には、「一方の面に開口部を有する絶縁ケース１０」、「絶縁ケース１０の内部に収納される昇圧トランス」、「絶縁ケース１０の内部に昇圧トランスを収納した状態で、絶縁樹脂２７が絶縁ケース内に充填された高圧電源回路」、「昇圧トランスが２次側巻線をボビン本体にその軸方向に沿って複数に区画して巻くための障壁を、ボビン本体の外周に軸方向に沿って備え」ていることが図示され、さらに「障壁間のボビン本体８に２次側巻線を巻き付けた」ことが図示されている。
　
　同刊行物２（特開平３−２０００６号公報（申立人雨山範子の提出した甲第２号証））には、「トランス」（発明の名称）に関し、「本発明は電子レンジのマグネトロン駆動用として利用されるトランスに関するものである。」（第１頁右下欄第１０〜１１行）ことが記載され、第９図には、「一方の面に開口部を有する絶縁ケース１０」が図示され、さらに「絶縁ケース１０の内部に収納される昇圧トランス」が図示され、第１図には、「絶縁ケースの内部に昇圧トランスを収納した状態で、絶縁樹脂１１が絶縁ケース１０内に充填されている」ことが図示され、第８図及び第９図には、「昇圧トランスを、ボビン１７の障壁が絶縁ケース１０の開口部に対して直交するように、絶縁ケース１０内に収納配置されている」ことが図示されている。
　
　同刊行物３（特開昭６１−１８９６１４号公報（申立人雨山範子の提出した甲第３号証））には、「高圧トランスの製造方法」（発明の名称）に関して、第３図には、「２次側巻線ボビンのボビン本体内部に、１次側巻線を巻いた状態で収容される１次側巻線ボビン」が図示され、第５図には、「１次側巻線ボビンの内部と２次側巻線ボビンの外周を取り囲んだ状態で磁気回路を構成するコア」が図示されている。
　同先願Ａ（特願平２−４０２８３号（特開平３−２４２９１３号公報参照））には、「内燃機関用点火コイル」（発明の名称）に関して、「第１図は本発明点火コイルの平面図、第２図は本発明点火コイルの要部断面正面図である。１はＩ字状の鉄心２ａにボビンを介して巻かれた１次コイルと１次コイルの周りのボビンに巻かれた２次コイルとからなるコイル部、２は樹脂ケース３の中央部にケース３と一体成形されるロ字状の閉磁路鉄心部、Ｉ字状の鉄心２ａは閉磁路鉄心部２の中心に位置しコイル部１の軸方向に伸びる。また、樹脂ケース３は上端に開口部６を有し、内部にコイル部１を収納する。」（第４頁第９〜１８行）こと、「又、コイル部１の１次コイルの両端をなす銅線はコネクタ内に一体成形された一対の導電体金具４ｃにそれぞれ接続される。」（第５頁第８〜１０行）こと、「５は開口部６よりケース３内に注入されコイル部１に含浸される熱硬化性の絶縁樹脂材である。
　上記構成においてＩ字状の鉄心２ａにボビンを介して巻かれた１次コイルと１次コイルの周りのボビンに巻かれた２次コイルからなるコイル部１を、閉磁路鉄心部２とＩ字状鉄心とを日の字状に組み合せて樹脂ケース３内にコネクタ４を組みつけた後収納する。」（第５頁第１５行〜第６頁第３行）こと、「以上コネクタ４を樹脂ケース３はめ込んだ後、熱硬化性の液体状の絶縁樹脂材５を、プレート４ａにより覆われていない開口部６より樹脂ケース３内に真空注入させてから加熱して絶縁樹脂材５を硬化させてコイル部１を絶縁固定させる。」（第７頁第４〜８行）ことが、第１図、第２図と共に記載されている。
　
　同先願Ｂ（特願平２−５７４２９号（特開平３−２５７９０８号公報参照））には、「内燃機関用点火コイル」（発明の名称）に関して、「（１）１次巻線と２次巻線とこの２次巻線が巻かれたボビンを含むコイル部と、
　このコイル部を収納する樹脂ケースと、
　前記コイル部の前記１次巻線へ電流を通電させるコネクタと、
　前記２次巻線の端部がからげられると共に前記ボビンつばに固着された導電性の２次補助端子と、
　前記ボビンの巻線部と対面して前記２次補助端子に組みつけられた導電性の２次端子と、
　外部に２次高圧出力を取出すために前記２次端子に接続した高圧ターミナルと、
　を備えたことを特徴とする内燃機関用点火コイル。」（特許請求の範囲第１項）であり、「第１図は本発明点火コイルの第１実施例を示す断面図である。１は一対の導電性金具１Ａを内部に一体成形したコネクタ、１Ｂはコネクタ１に対する樹脂材の固着を防止するためのプレートであり、コネクタ１に一体成形されている。３は１次巻線（図示せず）と２次巻線３Ａとこの２次巻線３Ａが複数の巻溝に巻かれているボビン３Ｂとを含むコイル部であり、１次巻線は鉄心５にて２次巻線３Ａと同心的に巻かれている。２はこのコイル部３を横置きで収納する樹脂ケースで、その下部には筒部２Ａが一体形成されていて、この筒部２Ａの内部下方にはキャップ状の高圧ターミナル１２が固着してある。３Ｆは金具１Ａに接続される１次巻線の端部をなす銅線、３Ｃはボビン３Ｂの端部に一体形成したボビンつばであり、３Ｄはこのボビンつば３Ｃに一体成形したボビンつば３Ｃの外径方向に伸びる突起部であり、この突起部３Ｄ上に銅線をひっかけるＬ字形の突起３Ｅが一体形成されている。４は樹脂ケース２内に注入されコイル部３を固定する熱硬化性の絶縁樹脂材である。」（第５頁第１行〜第６頁第１行）こと、「このように構成されたコイル部３をケース２内に横置きで入れて、抵抗器８の他方の端子９を穴部７Ｂに圧入し、この穴部７Ｂの周縁に設けた突起７Ａと電気的に接続させる。その後、熱硬化性樹脂４を樹脂ケース２の開口部より真空注入してコイル部３及び抵抗体８を固定する。」（第８頁第１６行〜第９頁第１行）ことが、第１図〜第４図と共に記載されている。
　
（３）対比・判断
１）特許法第２９条第２項について
　本件請求項１に係る発明と上記刊行物１〜３に記載の発明とを対比すると、上記刊行物１〜３には、本件請求項１に係る発明の「前記絶縁ケースの両側壁には、前記２次側巻線ボビンの両側壁が嵌合する開口部を設け、前記絶縁ケースの開口部に、２次側巻線ボビンの両側壁を嵌合することによって、当該２次側巻線ボビンの両側壁が、前記絶縁ケースの側壁の一部を兼用するように構成したこと」は、記載されていない。
　そして、かかる点により、本件請求項１に係る発明は、明細書記載の顕著な作用効果を奏するものである。
　したがって、本件請求項１に係る発明は、上記刊行物１〜３に記載された発明に基づいて当業者が容易に発明をすることができたものとは認められない。
　
２）特許法第２９条の２について
　本件請求項１に係る発明と上記先願Ａ又はＢの特許出願の願書に最初に添付された明細書又は図面に記載された発明とを対比すると、上記先願Ａ又はＢの特許出願の願書に最初に添付された明細書又は図面に記載された発明には、本件請求項１に係る発明の「前記絶縁ケースの両側壁には、前記２次側巻線ボビンの両側壁が嵌合する開口部を設け、前記絶縁ケースの開口部に、２次側巻線ボビンの両側壁を嵌合することによって、当該２次側巻線ボビンの両側壁が、前記絶縁ケースの側壁の一部を兼用するように構成したこと」が記載されておらず、本件請求項１に係る発明は、上記先願Ａ又はＢの特許出願の願書に最初に添付された明細書又は図面に記載された発明と同一であるとは認められない。
　
　
３．むすび
　以上のとおりであるから、特許異議申立ての理由及び証拠によっては、本件請求項１に係る発明の特許を取り消すことができない。
　そして、他に本件請求項１に係る発明の特許を取り消すべき理由を発見しない。
　したがって、本件請求項１に係る発明についての特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年８月２５日（２００３．８．２５）
【訂正の要旨】
審決（決定）の【理由】欄参照。
（５４）【発明の名称】
高圧電源装置
（５７）【特許請求の範囲】
　【請求項１】　少なくとも一方の面に開口面を有する絶縁ケースと、この絶縁ケースの内部に収納される昇圧トランスと、上記絶縁ケースの内部に昇圧トランスを収納した状態で、絶縁ケース内に充填される絶縁部材とを有する高圧電源装置において、上記昇圧トランスが、２次側巻線をボビン本体にその軸方向に沿って複数に区画して巻くための隔壁を、ボビン本体の外周に軸方向に沿って備え、当該隔壁間のボビン本体に２次側巻線を巻き付けた２次側巻線ボビンと、この２次側巻線ボビンのボビン本体内部に、１次側巻線を巻いた状態で収容される１次側巻線ボビンと、この１次側巻線ボビンの内部と２次側巻線ボビンの外周を取り囲んだ状態で磁気回路を構成するコアとを備え、当該昇圧トランスを、２次側巻線ボビンの隔壁が、前記絶縁ケースの開口面に対して直交するように、絶縁ケース内に収納配置
するとともに、前記絶縁ケースの両側壁には、前記２次側巻線ボビンの両側壁が嵌合する開口部を設け、前記絶縁ケースの開口部に、２次側巻線ボビンの両側壁を嵌合することによって、当該２次側巻線ボビンの両側壁が、前記絶縁ケースの側壁の一部を兼用するように構成した
【発明の詳細な説明】
　【０００１】
　【産業上の利用分野】
　この発明は、電子写真複写機やプリンタ等の画像記録装置に使用されるコロナ放電器などに高電圧を供給するための高圧電源装置に関する。
　【０００２】
　【従来の技術】
　一般に、上記電子写真複写機やプリンタ等の画像記録装置は、感光体ドラムの表面を一次帯電器によって一様に帯電した後、画像露光を行って感光体ドラムの表面に静電潜像を形成し、この静電潜像を現像器によって現像する。そして、この感光体ドラムの表面に形成された現像像を、転写帯電器の帯電によって記録用紙上に転写した後、現像像が転写された記録用紙を分離帯電器の帯電によって感光体ドラムの表面から分離し、定着器によって記録用紙上に現像像を定着することにより、画像の記録を行うように構成されている。
　【０００３】
　このように、上記電子写真複写機等の画像記録装置では、一次帯電器や転写帯電器、あるいは分離帯電器といったように、コロナ放電を利用した帯電器が複数使用されている。
　【０００４】
　ところで、近年、上記電子写真複写機等の画像記録装置などにおいては、装置の小型化が強く要求されてきており、装置の小型化のためには、その中で使用される各構成部品にも当然に小型化が強く求められている。これは、画像記録装置を構成する大型の部品に対しては勿論のこと、画像記録装置を構成する小型の部品に対しても同様に、更なる小型化が強く要求されている。上記画像記録装置に使用される構成部品としては、大小様々のものが非常に多数存在するが、画像記録装置に使用される一次帯電器や分離帯電器等に高電圧を供給するための高圧電源装置も、小型化が強く求められている部品の１つである。
　【０００５】
　この高圧電源装置は、直流の低電圧が一次側巻線に印加される昇圧トランスや、この昇圧トランスの一次側巻線に印加される直流の低電圧をオンオフするための制御回路、あるいは当該高圧電源装置が直流の高電圧を供給するものである場合には、上記昇圧トランスの二次側巻線に接続される整流回路等を構成するダイオード、コンデンサや抵抗等の回路素子などから構成される。これらの高圧電源装置を構成する種々の部品のうち、特に高電圧を発生する昇圧トランスや当該昇圧トランスの二次側巻線に接続される整流回路等を構成するダイオード等の回路素子などは、高い絶縁性が要求される等の関係から高圧ブロックとして１つのブロック化された部品を構成しており、高圧電源装置の構成上もスペース的にその殆ど占める部品であるため、この高圧ブロックは、高圧電源装置をできるだけ小さくしようとした場合に、特に小型化が強く要求される部品となっている。
　【０００６】
　上記高圧ブロックの大きさは、巻線のターン数が多く必然的にある程度大きくならざるを得ない２次側巻線のボビンの形状に大きく依存しているが、２次側巻線のボビン形状を一定とした場合には、当該２次側巻線のボビン等からなる昇圧トランスを含む高圧ブロックを構成する部品を収納する絶縁ケースをできるだけ小さくすることによっても、高圧ブロックの小型化は可能である。この場合には、昇圧トランスと絶縁ケースの隙間をできるだけ狭くすることによって、絶縁ケースの小型化を行うことになる。
　【０００７】
　従来、上記高圧電源装置は、上述したように、高電圧を発生する昇圧トランスや整流回路等を有する高圧ブロックと、この昇圧トランスの１次側巻線に印加する直流の低電圧をオンオフ制御する制御回路を有するプリント基板などから構成されている。また、上記高圧ブロックは、少なくとも２次側巻線ボビン等からなる昇圧トランスと、この昇圧トランスの出力を整流する平滑部品と、これらの部品を内部に収納した状態で絶縁性の充填材が充填硬化され、しかも少なくとも一方の面に開口部を有する絶縁ケースとを有している。そして、上記昇圧トランスは、２次側巻線をその外周に巻き付けた２次側巻線ボビンと、この２次側巻線ボビンの中央に位置する中空部に挿入され、しかも１次側巻線をその外周に巻き付けた１次側巻線ボビンと、この１次側巻き線ボビンの中央中空部に挿入され、２次側巻線ボビンの外周を取り囲むように配設される磁気コアとを有している。
　【０００８】
　この昇圧トランスＴは、図１４に示すように、１次側巻線ボビン１００に巻き付けた１次側巻線の端子１０１、１０１を、１次側巻線ボビン１００の挿入方向と平行になるように、絶縁ケース１０２の開口した底面側から内部に挿入し、１次側巻線端子１０１、１０１が開口面から突出するように、絶縁ケース１０２の内部に配置される。このように、昇圧トランスＴを絶縁ケース１０２の内部に収納した後に、絶縁ケース１０２の内部にその開口面側から絶縁性の充填材を充填硬化させることにより、高圧ブロックの高圧側と低圧側の絶縁を保持するように構成されていた。
　【０００９】
　また、上記昇圧トランスの１次側巻線ボビン及び２次側巻線ボビンへの１次側及び２次側巻線の巻付けは、自動巻き線機によって行っているが、自動巻き線機の巻線の保持状態及び巻付け動作の性能上、特に細い巻線が多数回巻付けられる２次側巻線は、比較的径の太いものに限定されていた。その結果、昇圧トランスの２次側巻線を巻付ける２次側巻線ボビンもある程度以上小型化するのが困難であり、２次側巻線ボビンの小型化に伴う昇圧トランスの小型化にも一定の限界があった。
　【００１０】
　さらに、上記昇圧トランスの１次側巻線ボビン及び２次側巻線ボビン等の部品は、合成樹脂の注入成型によって製造されているが、ボビン成型技術の限界により、２次側巻線ボビン等の部品を肉厚等を薄くすることにより小型化するにも限界があった。
　【００１１】
　【発明が解決しようとする課題】
　しかしながら、上記従来技術には、次のような問題点があった。すなわち、上記従来の高圧電源装置の場合には、図１４に示すように、昇圧トランスＴを、１次側巻線ボビン１００に巻き付けた１次側巻線の端子１０１，１０１が、１次側巻線ボビン１００の挿入方向と平行になるように、絶縁ケース１０２の底面側から内部に挿入することにより、１次側巻線端子１０１，１０１が開口面から突出するように、絶縁ケース１０２の内部に配置した後、絶縁ケース１０２の内部にその開口面側から絶縁性の充填材を充填することにより、高圧ブロックの高圧側と低圧側の絶縁を行なうように構成されている。
　【００１２】
　そのため、昇圧トランスＴを絶縁ケース１０２の内部に収納した状態においては、絶縁ケース１０２の内部で最もスペースを占める２次側巻線ボビン１０３が、その軸方向の両端部に位置する側壁部１０４，１０４及び２次側巻線ボビンの軸方向に沿って巻かれる２次側巻線を互いに仕切る隔壁１０５，１０５…が、図１４に示すように、絶縁ケース１０２の開口面と平行な方向に位置することになる。しかも、高圧ブロックを小型化する目的で、昇圧トランスと絶縁ケースの隙間をできるだけ狭く設定した場合には、昇圧トランスの２次側巻線ボビンと絶縁ケースとの間に残された隙間も非常に狭くなる。その結果、上記絶縁ケースの内部にその開口面側から絶縁性の充填材を充填硬化させることにより、高圧ブロックの高圧側と低圧側とを絶縁する際に、２次側巻線ボビン１０３の側壁部１０４，１０４及び隔壁１０５，１０５…が、絶縁ケース１０２の内部に充填される絶縁性の充填材の流動を妨げるとともに、昇圧トランスＴの２次側巻線ボビン１０３と絶縁ケース１０２との間に残された非常に狭い隙間も充填材の流動を妨げ、充填材の流れが悪くなるため、絶縁性の充填材の充填が不十分となり、昇圧トランスＴの２次側巻線の周囲や高圧部品の周辺に充填材が未充填の空隙部が生じ、高圧ブロックの絶縁不良が発生するという問題点があった。
　【００１３】
　また、上記昇圧トランスの１次側巻線ボビン及び２次側巻線ボビンへの１次側及び２次側巻線の巻付けは、自動巻き線機によって行っているが、最近、自動巻き線機の性能の向上に伴って、２次側巻線として径のかなり細いものを使用することができるようになってきており、昇圧トランスの２次側巻線を巻付ける２次側巻線ボビンの小型化も可能となってきている。従って、従来の２次側巻線ボビンをそのまま用いた昇圧トランスを、高圧電源装置の高圧ブロックに使用することを見直す要請も出てきている。
　【００１４】
　さらに、上記昇圧トランスの１次側巻線ボビン及び２次側巻線ボビン等の部品は、合成樹脂の注入成型によって製造されているが、ボビン成型技術の向上により、２次側巻線ボビン等の部品を小型化することも可能となってきている。そのため、この点からも従来の２次側巻線ボビンをそのまま用いた昇圧トランスを、高圧電源装置の高圧ブロックに使用することを見直す要請も出てきている。
　【００１５】
　【課題を解決するための手段】
　そこで、この発明は、上記従来技術の問題点を解決するためになされたもので、その目的とするところは、絶縁ケースの内部に昇圧トランス等の部品を収納した状態で、絶縁性の充填材の充填を確実に行なうことができ、高圧側及び低圧側の絶縁がより確実に得られるとともに、装置の一層の小型化が可能な高圧電源装置を提供することにある。
　【００１６】
　すなわち、この発明は、少なくとも一方の面に開口面を有する絶縁ケースと、この絶縁ケースの内部に収納される昇圧トランスと、上記絶縁ケースの内部に昇圧トランスを収納した状態で、絶縁ケース内に充填される絶縁部材とを有する高圧電源装置において、上記昇圧トランスが、２次側巻線をボビン本体にその軸方向に沿って複数に区画して巻くための隔壁を、ボビン本体の外周に軸方向に沿って備え、当該隔壁間のボビン本体に２次側巻線を巻き付けた２次側巻線ボビンと、この２次側巻線ボビンのボビン本体内部に、１次側巻線を巻いた状態で収容される１次側巻線ボビンと、この１次側巻線ボビンの内部と２次側巻線ボビンの外周を取り囲んだ状態で磁気回路を構成するコアとを備え、当該昇圧トランスを、２次側巻線ボビンの隔壁が、前記絶縁ケースの開口面に対して直交するように、絶縁ケース内に収納配置
するとともに、前記絶縁ケースの両側壁には、前記２次側巻線ボビンの両側壁が嵌合する開口部を設け、前記絶縁ケースの開口部に、２次側巻線ボビンの両側壁を嵌合することによって、当該２次側巻線ボビンの両側壁が、前記絶縁ケースの側壁の一部を兼用
　【００１７】
　【作用】
　この発明においては、昇圧トランスが、２次側巻線をボビン本体にその軸方向に沿って複数に区画して巻くための隔壁を、ボビン本体の外周に軸方向に沿って備え、当該隔壁間のボビン本体に２次側巻線を巻き付けた２次側巻線ボビンと、この２次側巻線ボビンのボビン本体内部に、１次側巻線を巻いた状態で収容される１次側巻線ボビンと、この１次側巻線ボビンの内部と２次側巻線ボビンの外周を取り囲んだ状態で磁気回路を構成するコアとを備え、当該昇圧トランスを、２次側巻線ボビンの隔壁が、前記絶縁ケースの開口面に対して直交するように、絶縁ケース内に収納配置するように構成されている。そのため、上記昇圧トランスを、２次側巻線ボビンの隔壁が、前記絶縁ケースの開口面に対して直交するように、絶縁ケース内に収納配置することにより、昇圧トランス等を収納した絶縁ケースの内部に絶縁性の充填材を充填する際に、２次側巻線ボビンの隔壁が充填材の充填方向と同方向に位置するため、２次側巻線ボビンの隔壁が充填材の充填を妨げることがなく、絶縁性の充填材の充填を確実に行なうことができる。また、上記昇圧トランスを、２次側巻線ボビンの隔壁が、前記絶縁ケースの開口面に対して直交するように、絶縁ケース内に収納配置するように構成されているため、昇圧トランスを収納する絶縁ケースの奥行きを、昇圧トランスの軸方向の長さと略等しい程度まで小さくすることができ、絶縁ケースの奥行きを小さくすることができる結果、絶縁ケースの設置面積及び全体の体積を小さくすることができ、装置の小型化が可能となる。
　【００１８】
　【実施例】
　以下にこの発明を図示の実施例に基づいて説明する。
　【００１９】
　図２はこの発明に係る高圧電源装置の一実施例としての直流高圧電源装置を示す回路図である。
　【００２０】
　図において、Ｔは昇圧トランスであり、この昇圧トランスＴの一次側巻線Ｎ１には、その一端に所定の直流電圧（例えば、＋２４Ｖ）が印加されているとともに、その他端には、スイッチング素子Ｑが接続されている。また、上記昇圧トランスＴの二次側巻線Ｎ２には、ダイオードＤＡ１、ＤＡ２とコンデンサＣ１、Ｃ２とからなるコッククロフトウオルトン型の多倍圧整流回路１が接続されている。そして、上記ダイオードＤＡ１とコンデンサＣ１との接続点２からは、制限抵抗Ｒ０２を介して図示外の電子写真複写機等の画像記録装置の一次帯電器などに所定の直流高電圧が出力されるようになっている。
　【００２１】
　また、上記直流高圧電源装置は、定電圧且つ定電流の出力を可能とするため、昇圧トランスＴの二次側に出力電圧検出回路３及び出力電流検出回路４を備えており、これらの出力電圧検出回路３及び出力電流検出回路４によって出力電圧及び出力電流を検出することにより、出力制御回路５によってスイッチング素子Ｑのオンオフを制御し、出力電圧及び出力電流を一定値に維持するようになっている。
　【００２２】
　このように、上記直流高圧電源装置は、直流の低電圧が一次側巻線Ｎ１に印加される昇圧トランスＴや、この昇圧トランスＴの一次側巻線Ｎ１に印加される直流の低電圧をオンオフするための出力制御回路５等の制御回路、及び上記昇圧トランスＴの二次側巻線Ｎ２に接続される整流回路等を構成するダイオードＤＡ１，ＤＡ２、コンデンサＣ１，Ｃ２や抵抗Ｒ０１，Ｒ０２等の回路素子などから構成されている。これらの直流高圧電源装置を構成する種々の部品のうち、特に高電圧を発生する昇圧トランスＴや当該昇圧トランスＴの二次側巻線Ｎ２に接続される整流回路等を構成するダイオードＤＡ１，ＤＡ２等の回路素子などは、絶縁性等の関係上から高圧ブロック６として１つのブロック化された部品を構成している。
　【００２３】
　ところで、この実施例では、少なくとも一方の面に開口面を有する絶縁ケースと、この絶縁ケースの内部に収納される昇圧トランスと、上記絶縁ケースの内部に昇圧トランスを収納した状態で、絶縁ケース内に充填される絶縁部材とを有する高圧電源装置において、上記昇圧トランスが、２次側巻線をボビン本体にその軸方向に沿って複数に区画して巻くための隔壁を、ボビン本体の外周に軸方向に沿って備え、当該隔壁間のボビン本体に２次側巻線を巻き付けた２次側巻線ボビンと、この２次側巻線ボビンのボビン本体内部に、１次側巻線を巻いた状態で収容される１次側巻線ボビンと、この１次側巻線ボビンの内部と２次側巻線ボビンの外周を取り囲んだ状態で磁気回路を構成するコアとを備え、当該昇圧トランスを、２次側巻線ボビンの隔壁が、前記絶縁ケースの開口面に対して直交するように、絶縁ケース内に収納配置するように構成されている。
　【００２４】
　すなわち、上記絶縁ケース１０は、図３に示すように、合成樹脂等によって底面部の全部と対向する側面部の一部が開口した直方体状に形成されている。さらに説明すると、この絶縁ケース１０は、底面部１１が全面開口しているとともに、相対的に幅の広い対向する第１及び第２の側壁１２、１３と、相対的に幅の狭い対向する第３及び第４の側壁１４、１５と、これら第１及び第２の側壁１２、１３と第３及び第４の側壁１４、１５とによって四方を囲まれた天井壁１６とから直方体状に形成されているとともに、上記第１及び第２の側壁１２、１３は、図３に示すように、第４の側壁１５側の端部が天井壁１６及び第４の側壁１５との間にわずかな縁取り１６’、１６’及び１５’を残して略正方形状に開口している。
　【００２５】
　また、上記絶縁ケース１０には、図３及び図４に示すように、第３の側壁１４側の端部であって天井壁１６側に、図示外の画像記録装置の一次帯電器などに所定の直流高電圧を出力するための接続端子部１７が設けられている。この接続端子部１７は、対向する第１の側壁１２と第２の側壁１３とを互いに連結することにより、接続端子部１７を構成する断面Ｌ字形状の仕切り壁１８を備えており、この仕切り壁１８のうち天井壁１６と平行な壁部１８ａには、図示外の画像記録装置の一次帯電器などに所定の直流高電圧を出力するためのファストン端子と呼ばれる接続端子１９の接続用の小孔を有する基端部１９ａが、埋設した状態で固着されている。さらに、上記接続端子部１７は、図６に示すように、天井壁１６に対応した部分が開口しており、上記接続端子１９に絶縁ケース１１の外部から画像記録装置の一次帯電器などが直接接続可能となっている。
　【００２６】
　一方、上記絶縁ケース１０の内部に収納される昇圧トランスＴは、図３に示すように、１次側巻線ボビン２０と２次側巻線ボビン２１とを備えている。この２次側巻線ボビン２１は、図５に示すように、円筒形状のボビン本体２２と、このボビン本体２２の軸方向の両端部に比較的厚肉に一体的に形成された平面略正方形状の側壁２３、２３と、上記ボビン本体２２の外周に軸方向に沿って所定の間隔を隔てて円板状に一体的に形成され、２次側巻線Ｎ２をボビン本体２２にその軸方向に沿って複数に区画して巻くための隔壁２４、２４…とから構成されている。
　【００２７】
　また、上記２次側巻線ボビン２１の両側壁２３、２３は、図６及び図７に示すように、絶縁ケース１０の第１及び第２の側壁１２、１３と天井壁１６とに嵌合することによって、第１及び第２の側壁１２、１３とともに絶縁ケース１０の側壁の一部を兼用するようになっている。すなわち、上記第１及び第２の側壁１２、１３の開口部１２ａ，１３ａには、図３に示すように、その端面に２次側巻線ボビン２１の両側壁２３，２３及び天井壁１６を嵌合固定するためのＶ字形状の凹溝２５、２５、２５が形成されているとともに、２次側巻線ボビン２１の両側壁２３、２３には、図５に示すように、その一辺を除いた外周の端面に当該凹溝２５、２５、２５と嵌合するためのＶ字形状の凸部２６、２６、２６が形成されている。
　【００２８】
　さらに、上記２次側巻線ボビン２１には、図３及び図５に示すように、その両側壁２３の一側端面に、２次側巻線ボビン２１に巻付けられた２次側巻線Ｎ２の両端を接続するための接続端子２７、２７が、それぞれ側方に突設されているとともに、この両側壁２３の一側端面には、当該２次側巻線ボビン２１を後述するプリント基板に取り付けるための脚部２８、２８が、側方に突設されている。
　なお、図５中、２９は２次側巻線ボビン２１の隔壁２４、２４…に設けられた切欠部を示している。この切欠部は、隔壁２４、２４…間に２次側巻線を引き渡すための溝の役割を果たしている。
　【００２９】
　そして、上記の如く構成される２次側巻線ボビン２１には、ボビン本体２２の外周に従来に比べてかなり細い線からなる２次側巻線Ｎ２が、隔壁２４、２４…によって複数に区画されて巻付けられている。このように、２次側巻線Ｎ２として従来に比べてかなり細い線を使用することにより、２次側巻線ボビン２１全体の小型化が可能となり、実際に、ボビン成型技術の向上によって２次側巻線ボビン２１等の部品を小型化することも可能となってきている
　【００３０】
　また、上記１次側巻線ボビン２０は、図８に示すように、円筒形状のボビン本体３０と、このボビン本体３０の軸方向の両端部に外周に向けて突設された小さなフランジ部３１、３２と、これらのフランジ部３１、３２の端面にボビン本体３０の内径と同一内径で軸方向に沿って半円周状に一体的に突設され、後述するコアを受けるためのコア受け部３３、３４と、この基端側コア受け部３４に前記２次側巻線ボビン２１の側壁２３と略同一幅に直径方向に両側に向けて突設され、１次側巻線Ｎ１を接続するための接続端子３５、３５を固定する接続端子取付部３６とを備えるように構成されている。
　【００３１】
　そして、上記の如く構成される１次側巻線ボビン２０には、ボビン本体３０の外周に２次側巻線に比べてかなり太い線からなる１次側巻線Ｎ１が、一重に巻付けられており、この１次側巻線Ｎ１の両端部は、接続端子３５、３５に接続されている。また、このように、１次側巻線Ｎ１が巻付けられた１次側巻線ボビン２０は、図９に示すように、２次側巻線ボビン２１のボビン本体２２の内部に形成された円筒形状の中空部内に挿入配置されるようになっている。その結果、１次側巻線ボビン２０の軸方向両端部に形成されたコア受け部３３、３４が、２次側巻線ボビン２１の側壁２３、２３の表面から突出するようになっている。また、１次側巻線ボビン２０の接続端子取付部３６は、１次側巻線ボビン２０を２次側巻線ボビン２１のボビン本体２２の中空部内に挿入配置した際に、２次側巻線ボビン２１の側壁２３に設けられた突起（図示せず）等と相対的に係合することにより、１次側巻線ボビン２０を位置決めする機能をも果たすように構成されている。
　【００３２】
　昇圧トランスＴは、上記の如く１次側巻線Ｎ１を巻付けた１次側巻線ボビン２０を、２次側巻線ボビン２１のボビン本体２２の中空部内に挿入配置した状態で、この２次側巻線ボビン２１の側壁２３、２３を絶縁ケース１０の第１及び第２の側壁１２、１３の開口部１２ａ，１３ａに嵌合することによって、絶縁ケース１０に取り付けられる。そして、上記昇圧トランスＴは、図６に示すように、その外周に磁気回路を構成するコア４０、４０を取り付けて構成されている。
　【００３３】
　上記コア４０、４０は、図３に示すように、互いに対称な形状に形成された２つの部材４０、４０からなり、これらのコア４０、４０は、１次側巻線ボビン２０のボビン本体３０の中空内部に挿入される円筒状部４１、４１と、当該円筒状部４１、４１の端部に一体的に形成されたＬ字形状部４２、４２とから構成されている。そして、上記コア４０、４０は、図６及び図７に示すように配置した状態で、互いに接着剤等により固着され、磁気回路を構成するようになっている。
　【００３４】
　この昇圧トランスＴは、図３及び図９に示すように、当該昇圧トランスＴの側面形状よりやや狭い面積を有する矩形状のエポシキ基板等からなるプリント配線基板４２に接続されている。すなわち、矩形状に形成されたプリント配線基板４２には、図９に示すように、その対向する端縁に２つの切欠部４３、４４がそれぞれ穿設されており、プリント配線基板４２の上方の切欠部４３、４３には、図９に示すように、昇圧トランスＴの２次側巻線Ｎ２の両端に接続された高圧側の接続端子２７、２７が挿通状態に固定されるとともに、この高圧側の接続端子２７、２７には、プリント配線基板４２の昇圧トランスＴの２次側巻線Ｎ２に図２に示すように接続される回路素子が電気的に接続されるようになっている。また、プリント配線基板４２の下方の切欠部４４、４４には、図９に示すように、昇圧トランスＴの２次側巻線ボビン２１の側壁２３、２３に突設された脚部２８、２８が嵌合固定されるようになっている。
　【００３５】
　また、上記プリント配線基板４２の下方の端部には、図９及び図１０に示すように、出力電圧及び出力電流を検出するための接続端子４５、４６が、プリント配線基板４２の表面に平行な方向に沿って下向きに突設されている。これらの接続端子４５、４６は、図２に示すように、出力電圧検出回路３及び出力電流検出回路４にそれぞれ接続され２いる。
　【００３６】
　なお、上記プリント配線基板４２は、図３に示すように、その両側端縁を絶縁ケース１０の第１及び第２の側壁１２、１３の内面に形成された凹溝４７、４７に嵌合することによって、絶縁ケース１０の内部に取り付けられる。
　【００３７】
　以上の構成において、この実施例に係る直流高圧電源装置は、次のようにして組立てられる。すなわち、図３に示すように、昇圧トランスＴをプリント配線基板４２に接続固定した状態で、昇圧トランスＴの２次側巻線ボビン２１の側壁２３、２３を、絶縁ケース１０の第１及び第２の側壁１２、１３に嵌合するとともに、プリント配線基板４２を絶縁ケース１０の第１及び第２の側壁１２、１３の内面に形成された凹溝４７、４７に嵌合することによって、昇圧トランスＴ及びプリント配線基板４２に取り付けられた整流回路等を構成する回路素子を絶縁ケース１０の内部に収納する。この状態で、昇圧トランスＴは、２次側巻線ボビン２１の隔壁２４、２４…が、図１及び図１０に示すように、絶縁ケース１０底部の開口面に対して直交するように、絶縁ケース１０内に収納配置される。
　【００３８】
　そして、この状態で、絶縁ケース１０の内部に絶縁性の充填材５０を充填することにより、絶縁ケース１０内に収納配置された昇圧トランスＴ及びプリント配線基板４２に取り付けられた整流回路等の高圧側と低圧側との絶縁を行なうようになっている。
　【００３９】
　このように、昇圧トランスＴが、図３に示すように、２次側巻線Ｎ２をボビン本体２２にその軸方向に沿って複数に区画して巻くための隔壁２４，２４…を、ボビン本体２２の外周に軸方向に沿って備え、当該隔壁２４，２４…間のボビン本体２２に２次側巻線Ｎ２を巻き付けた２次側巻線ボビン２１と、この２次側巻線ボビン２１のボビン本体２２内部に、１次側巻線Ｎ１を巻いた状態で収容される１次側巻線ボビン２０と、この１次側巻線ボビン２０の内部と２次側巻線ボビン２１の外周を取り囲んだ状態で磁気回路を構成するコア４０，４０とを備え、当該昇圧トランスＴを、２次側巻線ボビン２１の隔壁２４，２４…が、絶縁ケース１０の開口面に対して直交するように、絶縁ケース１０内に収納配置するように構成されている。そのため、上記昇圧トランスＴを、２次側巻線ボビン２１の隔壁２４，２４…が、前記絶縁ケース１０の開口面に対して直交するように、絶縁ケース１０内に収納配置することにより、昇圧トランスＴ等を収納した絶縁ケース１０の内部に絶縁性の充填材５０を充填する際に、２次側巻線ボビン２１の隔壁２４，２４…が充填材５０の充填方向と平行な方向すなわち同じ方向に位置するため、２次側巻線ボビン２１の隔壁２４，２４…が充填材の充填を妨げることがなく、絶縁性の充填材５０の充填を確実に行なうことができる。
　【００４０】
　また、上記昇圧トランスＴを、２次側巻線ボビン２１の隔壁２４，２４…が、前記絶縁ケース１０の開口面１１に対して直交するように、絶縁ケース１０内に収納配置するように構成されているため、昇圧トランスＴを収納する絶縁ケース１０の奥行きを、昇圧トランスＴの軸方向の長さと略等しい程度まで小さくすることができ、絶縁ケース１０の奥行きすなわち第３及び第４の側壁１４、１５の幅を小さくすることができる結果、絶縁ケース１０の設置面積及び全体の体積を小さくすることができ、装置の小型化が可能となる。
　【００４１】
　第二実施例
　図１１乃至図１３はこの発明の第二の実施例を示すものであり、前記第一の実施例と同一の部分には同一の符号を付して説明すると、この実施例では、昇圧トランスのすべて即ちコアをも含めて絶縁ケースの内部に収納するように構成されている。
　【００４２】
　すなわち、絶縁ケース１０は、図１１に示すように、底面部のみが開口した略直方体形状となっているとともに、この絶縁ケース１０の内部には、図１２に示すように、昇圧トランスＴのすべてが収納されるようになっている。また、取り付けスペースの関係上、絶縁ケース１０の昇圧トランスＴ側の天井壁部分１６ａが、湾曲形状に形成されており、第４の側壁１５と滑らかに連続するように形成されている。
　【００４３】
　こうした場合には、昇圧トランスＴのコア４０、４０が絶縁ケース１１の外部に突出することがないので、昇圧トランスＴのコア４０、４０が他の部材と干渉するのを防止することができる。
　【００４４】
　その他の構成及び作用は、前記第一の実施例と同一であるので、その説明を省略する。
　【００４５】
　なお、前記実施例では、この発明に係る高圧電源装置を直流高圧電源装置に適用した場合について説明したが、これに限定されるわけではなく、交流の高圧電源装置にも適用できることは勿論である。
　【００４６】
　また、前記実施例では、この発明に係る高圧電源装置を画像記録装置の帯電きに高電圧を供給する装置として使用した場合について説明したが、これに限定されるわけではなく、他の機器に高電圧を供給する装置としても使用できることは勿論である。
　【００４７】
　【発明の効果】
　この発明は、以上の構成及び作用よりなるもので、絶縁ケースの内部に昇圧トランス等の部品を収納した状態で、絶縁性の充填材の充填を確実に行なうことができ、高圧側及び低圧側の絶縁がより確実に得られるとともに、装置の一層の小型化が可能な高圧電源装置を提供することができる。
【図面の簡単な説明】
　【図１】　図１はこの発明に係る高圧電源装置の一実施例を示す底面図である。
　【図２】　図２はこの発明に係る高圧電源装置の一実施例を示す回路図である。
　【図３】　図３はこの発明に係る高圧電源装置の一実施例を示す分解斜視図である。
　【図４】　図４（ａ）（ｂ）は絶縁ケースの要部をそれぞれ示す側面図及び正面図でである。
　【図５】　図５（ａ）〜（ｅ）は２次側巻線ボビンをそれぞれ示す正面図、側面図、平面図、背面図及びＡ−Ａ線断面図である。
　【図６】　図６はこの発明に係る高圧電源装置の一実施例を示す外観斜視図である。
　【図７】　図７はこの発明に係る高圧電源装置の一実施例を示す外観斜視図である。
　【図８】　図８（ａ）〜（ｃ）は１次側巻線ボビンをそれぞれ示す平面図、正面図及び底面図である。
　【図９】　図９（ａ）〜（ｃ）は２次側巻線ボビン部分をそれぞれ示す正面図、側面図及び底面図である。
　【図１０】　図１０はこの発明に係る高圧電源装置の一実施例を示す使用状態の正面図である。
　【図１１】　図１１はこの発明の他の実施例に係る高圧電源装置を示す分解斜視図である。
　【図１２】　図１２はこの発明の他の実施例に係る高圧電源装置を示す外観斜視図である。
　【図１３】　図１３はこの発明の他の実施例に係る高圧電源装置を示す外観斜視図である。
　【図１４】　図１４は従来の高圧電源装置を示す外観斜視図である。
　【符号の説明】
　Ｔ　昇圧トランス、ＲＥＣＴ　多倍圧整流回路、Ｑ　スイッチング素子、１０　絶縁ケース、２０　１次側巻線ボビン、２１　２次側巻線ボビン、２４　隔壁、４０　コア、５０　絶縁材